(57)【要約】  白色光を発光するOLEDは、アノードとカソード、及び該アノードとカソード間に供された少なくとも4層の発光層を有する。前記アノードとカソードの間を電流が流れるときに前記4層の発光層の各々は各異なる発光スペクトルを生成し、かつそれらのスペクトルは結合して白色光を生成する。また前記4層の発光層は、赤色発光層、黄色発光層、青色発光層、及び緑色発光層を有する。これらの発光層は、i)前記発光層の各々は少なくとも1層の他の発光層と接し、ii)前記青色発光層は前記緑色発光層と接し、かつiii)前記赤色発光層は他の発光層1層とのみ接する、ように配置される。
2009532825.tif 000002
【特許請求の範囲】
【請求項１】
白色光を発光するOLED素子であって、
当該白色光を発光するOLED素子は：
アノードとカソード；及び
該アノードとカソード間に供された少なくとも4層の発光層；
を有し、
前記アノードとカソードの間を電流が流れるときに前記4層の発光層の各々は各異なる発光スペクトルを生成し、かつ
前記各異なる発光スペクトルは結合して白色光を生成し、
前記4層の発光層は、赤色発光層、黄色発光層、青色発光層、及び緑色発光層を有し、かつ
前記発光層は、
該発光層の各々が少なくとも1層の他の発光層と接し、
前記青色発光層は前記緑色発光層と接し、かつ
前記赤色発光層は他の発光層1層とのみ接する、
ように配置される、
白色光を発光するOLED素子。
【請求項２】
前記赤色発光層は前記アノードの最も近くに形成され、
0.5nmよりも厚くて5nmよりも薄い前記黄色発光層は前記赤色発光層と接し、
前記青色発光層は前記黄色発光層と接し、かつ
前記緑色発光層は前記青色発光層と接する、
請求項1に記載の白色光を発光するOLED素子。
【請求項３】
前記赤色発光層は前記アノードの最も近くに形成され、
0.5nmよりも厚くて5nmよりも薄い前記黄色発光層は前記赤色発光層と接し、
0.5nmよりも厚くて20nmよりも薄い前記緑色発光層は前記黄色発光層と接し、かつ
前記青色発光層は前記緑色発光層と接する、
請求項1に記載の白色光を発光するOLED素子。
【請求項４】
前記赤色発光層は前記アノードの最も近くに形成され、
前記青色発光層は前記赤色発光層と接し、
0.5nmよりも厚くて20nmよりも薄い前記緑色発光層は前記青色発光層と接し、かつ
前記黄色発光層は前記緑色発光層と接する、
請求項1に記載の白色光を発光するOLED素子。
【請求項５】
前記赤色発光層は前記アノードの最も近くに形成され、
0.5nmよりも厚くて20nmよりも薄い前記緑色発光層は前記赤色発光層と接し、
前記青色発光層は前記緑色発光層と接し、かつ
前記黄色発光層は前記青色発光層と接する、
請求項1に記載の白色光を発光するOLED素子。
【請求項６】
前記黄色発光層は前記アノードの最も近くに形成され、
前記青色発光層は前記黄色発光層と接し、
0.5nmよりも厚くて20nmよりも薄い前記緑色発光層は前記青色発光層と接し、かつ
前記赤色発光層は前記緑色発光層と接する、
請求項1に記載の白色光を発光するOLED素子。
【請求項７】
前記黄色発光層は前記アノードの最も近くに形成され、
0.5nmよりも厚くて20nmよりも薄い前記緑色発光層は前記黄色発光層と接し、
前記青色発光層は前記緑色発光層と接し、かつ
前記赤色発光層は前記青色発光層と接する、
請求項1に記載の白色光を発光するOLED素子。
【請求項８】
前記緑色発光層は前記アノードの最も近くに形成され、
前記青色発光層は前記緑色発光層と接し、
0.5nmよりも厚くて20nmよりも薄い前記黄色発光層は前記青色発光層と接し、かつ
前記赤色発光層は前記黄色発光層と接する、
請求項1に記載の白色光を発光するOLED素子。
【請求項９】
前記青色発光層は前記アノードの最も近くに形成され、
0.5nmよりも厚くて20nmよりも薄い前記緑色発光層は前記青色発光層と接し、
0.5nmよりも厚くて5nmよりも薄い前記黄色発光層は前記緑色発光層と接し、かつ
前記赤色発光層は前記黄色発光層と接する、
請求項1に記載の白色光を発光するOLED素子。
【請求項１０】
第1発光画素、第2発光画素、第3発光画素、及び第4発光画素からなるアレイ、並びに前記第1発光画素、前記第2発光画素、及び前記第3発光画素の動作に関連する、少なくとも3つの異なる色フィルタからなるアレイ、
を有するOLEDディスプレイであって、
各画素は、アノードとカソード、及び該アノードとカソードの間に供された少なくとも4層の発光層を有し、
該4層の発光層の各々は、前記アノードとカソードの間に電流が流れるときに、各異なる発光スペクトルを生成し、
前記4層の発光層は、赤色発光層、黄色発光層、青色発光層、及び緑色発光層を有し、
前記発光層は、
該発光層の各々は少なくとも1層の他の発光層と接し、
前記青色発光層は前記緑色発光層と接し、かつ
前記赤色発光層は他の発光層1層とのみ接する、
ように配置され、かつ
前記色フィルタは、白色光を受光して各異なる色の光を生成するように選ばれる、
白色光を発光するOLEDディスプレイ。
【請求項１１】
前記赤色発光層は前記アノードの最も近くに形成され、
0.5nmよりも厚くて5nmよりも薄い前記黄色発光層は前記赤色発光層と接し、
前記青色発光層は前記黄色発光層と接し、かつ
前記緑色発光層は前記青色発光層と接する、
請求項10に記載の白色光を発光するOLEDディスプレイ。
【請求項１２】
前記赤色発光層は前記アノードの最も近くに形成され、
0.5nmよりも厚くて5nmよりも薄い前記黄色発光層は前記赤色発光層と接し、
0.5nmよりも厚くて20nmよりも薄い前記緑色発光層は前記黄色発光層と接し、かつ
前記青色発光層は前記緑色発光層と接する、
請求項10に記載の白色光を発光するOLEDディスプレイ。
【請求項１３】
前記赤色発光層は前記アノードの最も近くに形成され、
前記青色発光層は前記赤色発光層と接し、
0.5nmよりも厚くて20nmよりも薄い前記緑色発光層は前記青色発光層と接し、かつ
前記黄色発光層は前記緑色発光層と接する、
請求項10に記載の白色光を発光するOLEDディスプレイ。
【請求項１４】
前記赤色発光層は前記アノードの最も近くに形成され、
0.5nmよりも厚くて20nmよりも薄い前記緑色発光層は前記赤色発光層と接し、
前記青色発光層は前記緑色発光層と接し、かつ
前記黄色発光層は前記青色発光層と接する、
請求項10に記載の白色光を発光するOLEDディスプレイ。
【請求項１５】
前記黄色発光層は前記アノードの最も近くに形成され、
前記青色発光層は前記黄色発光層と接し、
0.5nmよりも厚くて20nmよりも薄い前記緑色発光層は前記青色発光層と接し、かつ
前記赤色発光層は前記緑色発光層と接する、
請求項10に記載の白色光を発光するOLEDディスプレイ。
【請求項１６】
前記黄色発光層は前記アノードの最も近くに形成され、
0.5nmよりも厚くて20nmよりも薄い前記緑色発光層は前記黄色発光層と接し、
前記青色発光層は前記緑色発光層と接し、かつ
前記赤色発光層は前記青色発光層と接する、
請求項10に記載の白色光を発光するOLEDディスプレイ。
【請求項１７】
前記緑色発光層は前記アノードの最も近くに形成され、
前記青色発光層は前記緑色発光層と接し、
0.5nmよりも厚くて20nmよりも薄い前記黄色発光層は前記青色発光層と接し、かつ
前記赤色発光層は前記黄色発光層と接する、
請求項10に記載の白色光を発光するOLEDディスプレイ。
【請求項１８】
前記青色発光層は前記アノードの最も近くに形成され、
0.5nmよりも厚くて20nmよりも薄い前記緑色発光層は前記青色発光層と接し、
0.5nmよりも厚くて5nmよりも薄い前記黄色発光層は前記緑色発光層と接し、かつ
前記赤色発光層は前記黄色発光層と接する、
請求項10に記載の白色光を発光するOLEDディスプレイ。
【請求項１９】
前記アレイの全画素が共通のカソードを共有している、請求項10に記載の白色光を発光するOLEDディスプレイ。
【請求項２０】
間隔をあけて設けられたアノードとカソード；
電極間に設けられていて白色光に対応する発光スペクトルを生成する少なくとも2つの白色光発光ユニットであって、
各々は赤色発光層、黄色発光層、青色発光層、及び緑色発光層を有する4層の発光層を有し、かつ
前記発光層は、
当該一の白色光発光ユニットの前記発光層の各々は当該一の白色光発光ユニットの少なくとも1層の他の発光層と接し、
当該一の白色光発光ユニットの前記青色発光層は当該一の白色光発光ユニットの前記緑色発光層と接し、かつ
当該一の白色光発光ユニットの前記赤色発光層は当該一の白色光発光ユニットの他の発光層1層とのみ接する、
ように配置される、
少なくとも2つの白色光発光ユニット；並びに
前記白色光ユニット間に設けられた中間接続部；
を有するタンデム型の白色光を発光するOLED素子。
【請求項２１】
当該白色光発光ユニットの少なくとも1つが、
前記アノードの最も近くに形成される前記赤色発光層、
前記赤色発光層と接する0.5nmよりも厚くて5nmよりも薄い前記黄色発光層、
前記黄色発光層と接する前記青色発光層、かつ
前記青色発光層と接する前記緑色発光層、
を有する、
請求項20に記載のタンデム型の白色光を発光するOLED素子。
【請求項２２】
当該白色光発光ユニットの少なくとも1つが、
前記アノードの最も近くに形成される前記赤色発光層、
前記赤色発光層と接する0.5nmよりも厚くて5nmよりも薄い前記黄色発光層、
前記黄色発光層と接する0.5nmよりも厚くて20nmよりも薄い前記緑色発光層、かつ
前記緑色発光層と接する前記青色発光層、
を有する、
請求項20に記載のタンデム型の白色光を発光するOLED素子。
【請求項２３】
当該白色光発光ユニットの少なくとも1つが、
前記アノードの最も近くに形成される前記赤色発光層、
前記赤色発光層と接する前記青色発光層、
前記青色発光層と接する0.5nmよりも厚くて20nmよりも薄い前記緑色発光層、かつ
前記緑色発光層と接する前記黄色発光層、
を有する、
請求項20に記載のタンデム型の白色光を発光するOLED素子。
【請求項２４】
当該白色光発光ユニットの少なくとも1つが、
前記アノードの最も近くに形成される前記赤色発光層、
前記赤色発光層と接する0.5nmよりも厚くて20nmよりも薄い前記緑色発光層、
前記緑色発光層と接する前記青色発光層、かつ
前記青色発光層と接する前記黄色発光層、
を有する、
請求項20に記載のタンデム型の白色光を発光するOLED素子。
【請求項２５】
前記アノードの最も近くに形成される前記黄色発光層、
前記黄色発光層と接する前記青色発光層、
前記青色発光層と接する0.5nmよりも厚くて20nmよりも薄い前記緑色発光層、かつ
前記緑色発光層と接する前記赤色発光層、
を有する、
請求項20に記載のタンデム型の白色光を発光するOLED素子。
【請求項２６】
前記アノードの最も近くに形成される前記黄色発光層、
前記黄色発光層と接する0.5nmよりも厚くて20nmよりも薄い前記緑色発光層、
前記緑色発光層と接する前記青色発光層、かつ
前記青色発光層と接する前記赤色発光層、
を有する、
請求項20に記載のタンデム型の白色光を発光するOLED素子。
【請求項２７】
前記アノードの最も近くに形成される前記緑色発光層、
前記緑色発光層と接する前記青色発光層、
前記青色発光層と接する0.5nmよりも厚くて20nmよりも薄い前記黄色発光層、かつ
前記黄色発光層と接する前記赤色発光層、
を有する、
請求項20に記載のタンデム型の白色光を発光するOLED素子。
【請求項２８】
前記アノードの最も近くに形成される前記青色発光層、
前記青色発光層と接する0.5nmよりも厚くて20nmよりも薄い前記緑色発光層、
前記緑色発光層と接する0.5nmよりも厚くて5nmよりも薄い前記黄色発光層、かつ
前記黄色発光層と接する前記赤色発光層、
を有する、
請求項20に記載のタンデム型の白色光を発光するOLED素子。
【発明の詳細な説明】
【技術分野】
【０００１】
本発明は色フィルタを有する広帯域光生成OLEDディスプレイに関する。
【背景技術】
【０００２】
OLEDとも呼ばれる有機発光ダイオード素子は一般に、アノードとカソード、及び該アノードとカソードの間に挟まれた有機エレクトロルミネッセント(EL)ユニットを有する。有機ELユニットは少なくとも、正孔輸送層(HTL)、発光層(LEL)、及び電子輸送層(ETL)を有する。OLEDは、その低駆動電圧、高輝度、広視野角、及びフルカラーディスプレイや他の用途に用いられる可能性ゆえ魅力的である。タン(Tang)他は、自身の特許文献1及び2において、この多層OLEDについて記載した。
【０００３】
OLEDは、そのLELの発光特性に依存して、赤、緑、又は青といった様々な色を放出することができる。近年、たとえば固体光源、カラーディスプレイ、又はフルカラーディスプレイといった様々な用途に広帯域OLEDを取り入れようという要求が高まっている。広帯域発光とは、OLEDが可視スペクトル全体にわたる程度に十分広い光を放出することであって、その放出される光はフィルタすなわち色変化モジュールと併用されることで、少なくとも2色の異なる色を有するディスプレイすなわちフルカラーディスプレイを作製するようなものである、ことを意味する。特に、基本的にスペクトルの赤色、緑色、及び青色部分が発光する、広帯域光を発光するOLED（すなわち広帯域OLED）、つまり白色光を発光するOLED（白色OLED）が必要とされている。色フィルタを有する白色OLEDを用いることで、別個にパターニングされた赤色、緑色、及び青色発光体を有するOLEDよりも製造プロセスが単純になる。この結果、高処理量、歩留まり向上、及び費用節約が可能となる。白色OLEDが、たとえば非特許文献1、特許文献3、特許文献4、非特許文献2、及び非特許文献3のような従来技術において報告されてきた。
【０００４】
OLEDからの広帯域発光を実現するため、2種類以上の分子が励起されなければならない。その理由は、分子の各種類は、通常条件下において比較的狭いスペクトルを有する光しか放出しないためである。母体材料と1種類以上の発光ドーパントを有する発光層は、母体とドーパントの両方からの発光を実現することができる。その結果、母体材料からドーパントへのエネルギー輸送が終了していない場合には、可視スペクトルにおける発光が広帯域となる。1層の発光層を有する白色OLEDを実現するため、発光ドーパントの濃度は慎重に制御される必要がある。これにより製造が困難になる。2層以上の発光層を有する白色OLEDは、1層の発光層を有するOLEDよりも、良好な発光効率を有するだけでなく、良好な色を有することができる。またドーパント濃度のばらつき許容度も大きくなる。2層以上の発光層を有する白色OLEDは一般的に1層の発光層を有するOLEDよりも安定していることも分かった。しかしスペクトルの赤色、緑色、及び青色部分での高強度の発光を実現することは難しい。2層の発光層を有する白色OLEDは一般的に2つの強い発光ピークを有する。第3発光層を用いて第3の強い発光ピークを供することが知られているが、そのような3層構造は効率が落ちることを示す。
【０００５】
近年、タンデムOLED構造（積層OLED又はカスケードOLEDと呼ばれることもある）が、特許文献5〜9によって開示された。このタンデムOLEDは、複数のそれぞれ独立したOLEDユニットを垂直に積層し、かつ単一の電源を用いてその積層体を駆動することによって作製される。利点は、発光効率及び/又は寿命の向上である。しかしタンデム構造は、共に積層されるOLEDの数にほぼ比例して駆動電圧を向上させてしまう。
【０００６】
松本及び城戸は、非特許文献4において、タンデム型白色OLEDが、その素子内で緑青ELユニット及びオレンジ色ELユニットを接続することによって構築され、かつ1つの電源によってこの素子を駆動することによって白色光の発光が実現されることを報告した。たとえ発光効率が向上するとはいえ、このタンデム型白色OLED素子が有するスペクトル中での緑色及び赤色成分は弱い。特許文献9では、リアオ(Liao)他が、素子内で赤色ELユニット、緑色ELユニット、及び青色ELユニットを直接に接続したタンデム型白色OLED構造について記載している。タンデム型白色OLEDが1つの電源によって駆動されるとき、白色光の発光は、赤色、緑色、及び青色ELユニットからのスペクトルの結合によって生成される。たとえ色発光及び発光効率が改善されるとしても、このタンデム型白色OLEDは3つ未満のELユニットでは作製できない。このことは、タンデム型白色OLEDに必要な駆動電圧が、従来のOLEDの駆動電圧の少なくとも3倍であることを意味する。
【特許文献１】米国特許第4769292号明細書
【特許文献２】米国特許第4885211号明細書
【特許文献３】米国特許第5683823号明細書
【特許文献４】特願2007-142169号明細書
【特許文献５】米国特許第6337492号明細書
【特許文献６】米国特許第6107734号明細書
【特許文献７】特願2003-045676号明細書（米国特許出願第2003/0189401号明細書）
【特許文献８】米国特許第6717358号明細書
【特許文献９】米国特許出願第2003/0170491号明細書
【特許文献１０】米国特許第3180730号明細書
【特許文献１１】米国特許第3567450号明細書
【特許文献１２】米国特許第3658520号明細書
【特許文献１３】米国特許第4720432号明細書
【特許文献１４】米国特許第5061569号明細書
【特許文献１５】欧州特許第1009041号明細書
【特許文献１６】米国特許第5935721号明細書
【特許文献１７】国際公開第98/55561号パンフレット
【特許文献１８】国際公開第00/18851号パンフレット
【特許文献１９】国際公開第00/57676号パンフレット
【特許文献２０】国際公開第00/70655号パンフレット
【特許文献２１】米国特許第5141671号明細書
【特許文献２２】米国特許第5150006号明細書
【特許文献２３】米国特許第5151629号明細書
【特許文献２４】米国特許第5294870号明細書
【特許文献２５】米国特許第5405709号明細書
【特許文献２６】米国特許第5484922号明細書
【特許文献２７】米国特許第5593788号明細書
【特許文献２８】米国特許第5645948号明細書
【特許文献２９】米国特許第5683823号明細書
【特許文献３０】米国特許第5755999号明細書
【特許文献３１】米国特許第5928802号明細書
【特許文献３２】米国特許第5935720号明細書
【特許文献３３】米国特許第5935721号明細書
【特許文献３４】米国特許第6020078号明細書
【特許文献３５】米国特許出願公開第2005/0249972号明細書
【特許文献３６】米国特許出願公開第2005/0181232号明細書
【特許文献３７】米国特許出願公開第2004/0001969号明細書
【特許文献３８】米国特許第5121029号明細書
【特許文献３９】米国特許第4356429号明細書
【特許文献４０】米国特許第4359507号明細書
【特許文献４１】米国特許第5276380号明細書
【特許文献４２】欧州特許第0732868号明細書
【特許文献４３】米国特許第6208075号明細書
【特許文献４４】欧州特許第0891121号明細書
【特許文献４５】欧州特許第1029909号明細書
【特許文献４６】米国特許出願第11/170681号明細書
【特許文献４７】米国特許第6872472号明細書
【特許文献４８】米国特許出願公開第2004/0227460号明細書
【非特許文献１】城戸他、応用物理誌（Applied  Physics  Letters）、第64巻、pp.815、1994年
【非特許文献２】デシュパンデ(Deshpande)他、応用物理誌（Applied  Physics  Letters）、第75巻、pp.888、1999年
【非特許文献３】デシュパンデ(Deshpande)他、応用物理誌（Applied  Physics  Letters）、第83巻、pp.2459、2003年
【非特許文献４】SID03ダイジェスト、pp.979、2003年
【発明の開示】
【発明が解決しようとする課題】
【０００７】
作製が単純でありながらも効率的な色域と高効率を有するディスプレイが必要とされている。
【課題を解決するための手段】
【０００８】
白色光を発光するOLEDは、アノードとカソード、及び該アノードとカソード間に供された少なくとも4層の発光層を有する。前記アノードとカソードの間を電流が流れるときに前記4層の発光層の各々は各異なる発光スペクトルを生成し、かつそれらのスペクトルは結合して白色光を生成する。また前記4層の発光層は、赤色発光層、黄色発光層、青色発光層、及び緑色発光層を有する。これらの発光層は、
i)前記発光層の各々は少なくとも1層の他の発光層と接し、
ii)前記青色発光層は前記緑色発光層と接し、かつ
iii)前記赤色発光層は他の発光層1層とのみ接する、
ように配置される。
【発明の効果】
【０００９】
本発明の利点は、色域と出力効率が改善され、必要な電圧が低く、高い安定性、及び良好な角度依存性を有する素子が提供されることである。
【発明を実施するための最良の形態】
【００１０】
たとえば層の厚さのような素子の特徴部の大きさは大抵の場合サブミクロン範囲であるので、大きさの厳密さよりもむしろ視覚的なわかりやすさを考慮して図は描かれている。
【００１１】
「OLED素子」という語は、当技術分野において認識されているように、有機発光ダイオードを画素として有するディスプレイ素子という意味で用いられている。「OLED素子」という語はまた、1つの画素を有する素子をも意味して良い。本明細書で用いられている「OLEDディスプレイ」という語は、複数の画素を有するOLED素子を意味する。この複数の画素はそれぞれ異なる色であって良い。カラーOLED素子は、少なくとも一色の光を放出する。「多色」という語は、各異なる領域において異なる色相の光を発光することのできるディスプレイパネルを表すのに用いられる。特に「多色」という語は、様々な色の像を表示することのできるディスプレイパネルを表すのに用いられる。これらの領域は必ずしも接触している必要はない。「フルカラー」という語は、可視スペクトルにおける赤色、緑色、及び青色領域での発光、並びに色相を任意に組み合せることによる像の表示が可能な多色パネルディスプレイを表すのに用いられる。赤色、緑色、及び青色は、三原色を構成する。この三原色を適当に混合させることによって他全ての色を生成することができる。「色相」という語は、可視スペクトル範囲内における発光の強度プロファイルを意味する。各異なる色相は視覚的に認識可能な色の差異を示す。「画素」という語は、当技術分野において認識されているように、刺激を受けて発光するディスプレイパネルの領域であって他の領域とは独立して発光するものを指すのに用いられる。フルカラーシステムでは、各異なる色の複数の画素が一緒に用いられることで広範囲な色を生成し、かつ観察者はそのような群を画素と呼ぶことが知られている。ここでの議論のため、そのような一群は複数の異なる色からなる画素とみなされる。
【００１２】
本開示によると、広帯域発光は、たとえば青や緑といった、可視スペクトルの多数の部分において主要な成分を有する光である。広帯域発光はまた、白色光を生成するためにスペクトルの赤色、緑色、及び青色部分で光が発光する状態も含んで良い。白色光は、白色を有すると使用者によって知覚される光、又は色フィルタと併用して実用的なフルカラーディスプレイを作製するのに十分な発光スペクトルを有する光である。低消費電力については、白色光を発光するOLEDの色度がCIE  D65つまりCIEx=0.31かつCIEy=0.33に近くなるのが有利である。このことは特に、赤色、緑色、及び青色の画素を有する所謂RGBWディスプレイについて当てはまる。たとえ複数の実施例においてCIEx、CIEy座標が約0.31、0.33であることが理想的であるとしても、実際の座標は大きく異なっていて良いし、かつそれでも非常に有用でありうる。本明細書において用いられている「白色光の発光」とは、内部で白色光を生成する素子を意味する。ただし実際にはそのように生成される光の一部が観察前に除去される。
【００１３】
ここで図1に移ると、本発明の第1実施例による白色光を発光するOLED素子10の画素の断面が図示されている。係るOLED素子はたとえばディスプレイ又は面照明システムに組み込まれて良い。OLED素子10は最低でも、基板20、アノード30、アノード30から間隔をあけて設けられたカソード90、及びアノード30とカソード90の間に挟まれた少なくとも4層の発光層50.1、50.2、50.3と50.4を有する。有機EL素子70に係る4層の発光層は、赤色発光層、黄色発光層、青色発光層、及び緑色発光層を有する。これらの層の厳密な順序は以降でさらに論じる。発光層50.1、50.2、50.3と50.4の各々は、アノード30とカソード90の間に電流が流れるときに、各異なる発光スペクトルを生成する。これらの発光スペクトルは結合して、図5のスペクトル130に示された白色光を生成する。比較のため、スペクトル110は、2層の発光層を有する白色光を発光するOLED素子の発光スペクトルを図示している。スペクトル120は、赤色発光層、青色発光層、及び緑色発光層の3層を有する白色光を発光するOLED素子の発光スペクトルを図示している。スペクトル110は、可視スペクトルの緑色部分で相対的に弱い。そのため緑色でフィルタリングされた画素がより強くなるように駆動される必要がある。スペクトル120は黄色領域での発光が弱いので、特に白色画素に用いられるときの効率(Cd/A)が低い。対照的にスペクトル130にはこのような弱さは表れず、可視スペクトルのほとんどにわたり良好な発光が表れている。
【００１４】
OLED素子10は、たとえば正孔輸送層40,45、電子輸送層55,65、正孔注入層35、電子注入層60、及び色フィルタ25のような他の層をさらに有して良い。これらについては後述する。
【００１５】
青色発光層中での正孔-電子再結合によって生成される励起子は、緑色発光層、黄色発光層、又は赤色発光層へ移動することができる。緑色発光層中での励起子は、黄色発光層、又は赤色発光層へ移動することができる。黄色発光層中での励起子は赤色発光層へ移動することができる。従って本発明の機能にとっては、発光層がエネルギー的に好ましい順序で配列することが重要である。そのような順序は、i)前記発光層の各々は少なくとも1層の他の発光層と接し、ii)前記青色発光層は前記緑色発光層と接し、かつiii)前記赤色発光層は他の発光層1層とのみ接する、となるように前記発光層が配列するときに実現される。次に説明する図はこれらの基準を満たす配置を図示している。ここで図2aに移ると、これらの要件を満たすOLED素子10内の発光層の配置に係る一の実施例の断面が図示されている。この配置及び以下に記載される配置は、本明細書に記載された如何なるOLED素子及びOLEDディスプレイにも用いられて良い。図2aの配置では、赤色発光層50rはアノード30の最も近くに形成され、黄色発光層50yは赤色発光層50rと接し、青色発光層50bは黄色発光層50yと接し、かつ緑色発光層50gは青色発光層50bと接する。これはエネルギー的に好ましい順序である。青色発光層50b中での励起子は緑色発光層50g又は黄色発光層50yへ移動することができる。黄色発光層50y中での励起子は赤色発光層50rへ移動することができる。当然のことながら、どの層中の励起子もその層からの発光を起こすことができるし、各異なる層の厚さを変化させることによって、当業者は所望の発光を起こすように素子を調節することができる。この特別な実施例では黄色発光層50yは、発光層と、赤色発光層50rへ励起子を輸送する層の両方の機能を果たすので、黄色発光層50yは、OLED素子に対して当技術分野において一般的に用いられてきた発光層よりも薄くする必要がある。黄色発光層50yの厚さは0.5nmよりも厚く5nmよりも薄いことが望ましい。黄色発光層50yが0.5nm未満である場合、この層からの発光は最小となるので、素子は有利となる効率向上を示さない。黄色発光層50yが5nmよりも厚い場合、励起子のほとんどが赤色発光層50rに到達しないので、スペクトルの赤色領域での発光が最適を下回る。
【００１６】
ここで図2bに移ると、本発明によるOLED素子10内での発光層の配列に係る他の実施例の断面が図示されている。この配置では、赤色発光層50rはアノード30の最も近くに形成され、0.5nmよりも厚くて5nmよりも薄い黄色発光層50yは赤色発光層50rと接し、緑色発光層50gは黄色発光層50yと接し、かつ青色発光層50bは緑色発光層50gと接する。この実施例では、緑色発光層50gは、励起子を輸送する中間層と、発光層の両方の機能を果たす。従って緑色発光層50gの厚さは、黄色発光層50yについて図2aで記載したように、2つの機能のバランスをとるように選ばれなければならない。中間層としての緑色発光層50gについては、その厚さは0.5nmよりも厚くて20nmよりも薄いことが望ましい。
【００１７】
ここで図2cに移ると、本発明によるOLED素子10内での発光層の配列に係る他の実施例の断面が図示されている。この配置では、赤色発光層50rはアノード30の最も近くに形成され、青色発光層50bは赤色発光層50rと接し、0.5nmよりも厚くて20nmよりも薄い緑色発光層50gは青色発光層50bと接し、かつ黄色発光層50yは緑色発光層50gと接する。
【００１８】
ここで図2dに移ると、本発明によるOLED素子10内での発光層の配列に係る他の実施例の断面が図示されている。この配置では、赤色発光層50rはアノード30の最も近くに形成され、0.5nmよりも厚くて20nmよりも薄い緑色発光層50gは赤色発光層50rと接し、青色発光層50bは緑色発光層50gと接し、かつ黄色発光層50yは青色発光層50bと接する。
【００１９】
ここで図2eに移ると、本発明によるOLED素子10内での発光層の配列に係る他の実施例の断面が図示されている。この配置では、黄色発光層50yはアノード30の最も近くに形成され、青色発光層50bは黄色発光層50yと接し、0.5nmよりも厚くて20nmよりも薄い緑色発光層50gは青色発光層50bと接し、かつ赤色発光層50rは緑色発光層50gと接する。
【００２０】
ここで図2fに移ると、本発明によるOLED素子10内での発光層の配列に係る他の実施例の断面が図示されている。この配置では、黄色発光層50yはアノード30の最も近くに形成され、0.5nmよりも厚くて20nmよりも薄い緑色発光層50gは黄色発光層50yと接し、青色発光層50bは緑色発光層50gと接し、かつ赤色発光層50rは青色発光層50bと接する。
【００２１】
ここで図2gに移ると、本発明によるOLED素子10内での発光層の配列に係る他の実施例の断面が図示されている。この配置では、緑色発光層50gはアノード30の最も近くに形成され、青色発光層50bは緑色発光層50gと接し、0.5nmよりも厚くて20nmよりも薄い黄色発光層50yは青色発光層50bと接し、かつ赤色発光層50rは黄色発光層50yと接する。
【００２２】
ここで図2hに移ると、本発明によるOLED素子10内での発光層の配列に係る他の実施例の断面が図示されている。この配置では、青色発光層50bはアノード30の最も近くに形成され、0.5nmよりも厚くて20nmよりも薄い緑色発光層50gは青色発光層50bと接し、0.5nmよりも厚くて5nmよりも薄い黄色発光層50yは緑色発光層50gと接し、かつ赤色発光層50rは黄色発光層50yと接する。
【００２３】
ここで図2hに移ると、本発明の他の実施例によるOLED素子15の断面が図示されている。この実施例はこれまでの実施例と似ているが、第1発光画素5r、第2発光画素5g、第3発光画素5b、及び第4発光画素5wを有する。画素5rは赤色発光画素であり、画素5gは緑色発光画素であり、画素5bは青色発光画素であり、かつ画素5wは白色発光画素である。発光層50.1、50.2、50.3と50.4の各々は、アノードとカソードの間に電流が流れるときに、各異なる発光スペクトルを生成する。これらの発光スペクトルは結合して白色光を生成する。発光層の順序は、OLED素子10についての上述した基準に従って、上の図2aから図2hに記載された如何なる順序であっても良い。
【００２４】
OLEDディスプレイ15は、第1発光画素5r、第2発光画素5g、及び第3発光画素5bの動作に関連する、たとえば25r、25g、25bのような少なくとも3つの異なる色フィルタからなるアレイをさらに有する。係るフィルタは、白色光を受光して各異なる色の光を生成するように選ばれる。この実施例でのOLEDディスプレイ15は底部発光である。赤色フィルタ25rは第1発光画素5rの動作に関連し、発光層50.1乃至50.4からの白色光97を受光して赤色光97rを生成する。緑色フィルタ25gは第2発光画素5gの動作に関連し、発光層からの白色光97を受光して緑色光97gを生成する。青色フィルタ25bは第3発光画素5bの動作に関連し、発光層からの白色光97を受光して青色光97bを生成する。発光画素5wは色フィルタを有していないので、観察者へ向かう白色光97wを生成する。
【００２５】
本発明での使用が可能なOLED素子の層は当技術分野において十分説明されてきている。OLED素子10、OLEDディスプレイ15、及び本明細書に記載された他のOLED素子は、そのような素子に一般的に用いられる層を有して良い。底部電極はOLED基板20の上に形成され、かつ最も一般的にはアノード30として備えられる。ただし本発明の実施がこの構成に限定されるわけではない。この用途についての典型的な導体は、金、イリジウム、モリブデン、パラジウム、プラチナ、アルミニウム、又は銀を含んで良いが、これらに限定されるわけではない。望ましいアノード材料は、如何なる適切な手段によって堆積されても良い。適切な手段とはたとえば、蒸着、スパッタリング、化学気相成長、又は電気化学的手段である。アノード材料は周知のフォトリソグラフィプロセスを用いてパターニングされて良い。
【００２６】
常に必要というわけではないが、正孔輸送層40が形成され、かつアノードの上に設けられることは大抵の場合有用である。望ましい正孔輸送材料は、如何なる適切な手段によって堆積されても良い。適切な手段とはたとえば、蒸着、スパッタリング、化学気相成長、電気化学的手段、熱転写、又は供給体材料からのレーザー熱転写である。正孔輸送層に有用な正孔輸送材料には、たとえば芳香族第三級アミンのような化合物が含まれることが周知である。芳香族第三級アミンは、炭素原子とのみ結合する3価の窒素原子を少なくとも1つ含む化合物であると理解されている。そのようなものの1つが芳香族環部分である。一の形態では、芳香族第三級アミンはたとえば、モノアリルアミン、ジアリルアミン、又は高分子アリルアミンのようなアリルアミンであって良い。典型的な単量体トリアリールアミンは特許文献10においてクラプフェル(Klupfel)他によって示されている。1つ以上のビニルラジカルによって置換された、及び/又は少なくとも1つの活性水素含有基を含む他の適切なトリアリールアミンは、特許文献4及び特許文献12でブラントレイ(Brantley)他によって開示されている。
【００２７】
芳香族第三級アミンのより好ましい分類は、特許文献13及び14に記載された少なくとも2つの芳香族第三級アミン部分を有するものである。係る化合物は構造式Aで表される化合物を含む。
【００２８】
【化１】
2009532825.tif 000003
ここで、Q1及びQ2は互いに独立して選ばれた芳香族第三級アミン部分で、Gは、炭素間結合基である、アリーレン基、シクロアルキレン基、又はアルキレン基である。
【００２９】
一の実施例では、Q1又はQ2のうちの少なくとも1つは、たとえばナフタレンのような多環式縮合環構造を含む。Gがアリール基であるとき、Gはフェニレン、ビフェニレン、又はナフタレン部分であることが便宜である。
【００３０】
構造式Aを満たし、かつ2つのトリアリールアミン部分を含むトリアリールアミンの有用な分類は構造式Bによって表される。
【００３１】
【化２】
2009532825.tif 000004
ここで、R1及びR2はそれぞれ独立して水素原子、アリール基、若しくはアルキル基を表すか、又はR1及びR2は共にシクロアルキル基を完成させる原子を表す。
【００３２】
またR3及びR4はそれぞれ独立してアリール基を表す。構造式Cで示されているように、アリール基は、ジアリール置換されたアミノ基によって置換される。
【００３３】
【化３】
2009532825.tif 000005
ここでR5及びR6はそれぞれ独立して選ばれたアリール基である。一の実施例では、R5又はR6のうちの少なくとも1つは、たとえばナフタレンのような多環式縮合環構造を有する。
【００３４】
芳香族第三級アミンの別な分類はテトラジアミンである。望ましいテトラジアミンは、アリーレン基を介して結合する、構造式Cで表される2つのジアリールアミノ基を有する。有用なテトラアリールジアミンは、構造式Dで表されたものを含む。
【００３５】
【化４】
2009532825.tif 000006
ここで、Areの各々は独立して選ばれるたとえばフェニレン又はアントラセンのようなアリーレン基で、nは1〜4の整数で、かつAr、R7、R8及びR9は独立して選ばれるアリール基である。
【００３６】
典型的実施例では、Ar、R7、R8及びR9のうちの少なくとも1つは、たとえばナフタレンのような多環式縮合環構造である。
【００３７】
前記の構造式A、B、C及びDの様々なアルキル部分、アルキレン部分、アリール部分、及びアリーレン部分はそれぞれ置換されて良い。典型的な置換基は、アルキル基、アルコキシ基、アリール基、アリールオキシ基、及び、フッ化物、塩化物や臭化物のようなハロゲンを含む。様々なアルキル及びアルキレン部分は典型的には1〜約6個の炭素原子を有する。シクロアルキル部分は3〜約10個の炭素原子を有して良いが、典型的にはたとえばシクロペンチル、シクロヘキシル、及びシクロヘプチル環構造のように5〜7個の炭素原子を有する。
【００３８】
OLED内の正孔輸送層は、単一の芳香族第三級アミン又はその化合物により形成されて良い。特に、たとえば構造式Bを満たすようなトリアリールアミンが、構造式Dで表されているようなテトラジアミンと併用されて良い。トリアリールアミンがテトラアリールジアミンと併用されるとき、テトラアリールジアミンは、トリアリールアミンと、電子注入及び輸送層との間に設けられた層となる。
【００３９】
有用な正孔輸送材料の別な分類は特許文献15に記載された多環式芳香族化合物を含む。それに加えて、高分子である正孔輸送材料が用いられても良い。高分子である正孔輸送材料とはたとえば、ポリ（N-ビニルカルバゾール）(PVK)、ポリチオフェン、ポリピロール、ポリアニリン、及び、たとえばPEDOT/PSSとも呼ばれるポリ（3,4-エチレンジオキシチオフェン）/ポリ（4-スチレンスルホナート）のような共重合体である。
【００４０】
発光層は、正孔-電子再結合に応答して発光する。発光層は一般的に正孔輸送層の上に設けられる。望ましい有機発光材料は、如何なる適切な手段によって堆積されても良い。適切な手段とはたとえば、蒸着、スパッタリング、化学気相成長、電気化学的手段、又は供給体材料からの放射線熱転写である。有用な有機発光材料は周知である。特許文献1及び16においてより詳細に記載されているように、OLED素子の発光層は発光すなわち蛍光材料を有する。この領域での電子-正孔再結合の結果、エレクトロルミネッセンスが生じる。発光層は1種類の材料で構成されて良いが、より一般的には微量化合物すなわちドーパントがドーピングされた母体材料を有する。発光は基本的にドーパントに起因する。ドーパントは特別なスペクトルを有する色の光を生成するように選ばれる。発光層中の母体材料は、以降で定義される電子輸送材料、以降で定義される正孔輸送材料、又は電子-正孔再結合を助ける他の材料であって良い。ドーパントは通常高蛍光性色素から選ばれる。しかし特許文献17〜20に記載されているように、たとえば遷移金属複合体のようなリン光性化合物も有用である。有用であることが知られている母体分子及び発光分子には、特許文献1及び特許文献21〜34に開示されたものが含まれるが、これらに限定されるわけではない。
【００４１】
8-ヒドロキシキノリン及び同様の誘導体の金属複合体（構造式E）は、エレクトロルミネッセンスを助けることのできる有用な母体材料の一分類を構成し、かつたとえば緑、黄色、橙、及び赤のような500nmよりも長波長での発光に適している。
【００４２】
【化５】
2009532825.tif 000007
ここで、Mは金属を表し、nは1〜3までの整数で、かつZは、各事象において独立して少なくとも2つの縮合芳香族環を有する中心部分を完成させる原子を表す。
【００４３】
前述から、金属は1価金属、2価金属、又は3価金属であって良いことは明らかである。金属はたとえば、リチウム、ナトリウム、若しくはカリウムのようなアルカリ金属、マグネシウムやカルシウムのようなアルカリ土類金属、又はボロンやアルミニウムのような土類金属であって良い。一般的には有用なキレート金属として知られている1価金属、2価金属、又は3価金属の如何なるものが用いられても良い。
【００４４】
Zは少なくとも2つの縮合芳香族環を有する複素環式中心部分を完成させる。そのうちの少なくとも1つはアゾール又はアジン環である。脂肪族環と芳香族環の両方を含む他の環は、必要であれば、2つの必要な環と縮合して良い。機能を向上させない大きな分子を加えることがないように、環を構成する原子数は通常18個以下に維持される。
【００４５】
発光層中の母体材料は、炭化水素又は9及び10の位置で置換された炭化水素置換物を有するアントラセン誘導体であって良い。たとえば9,10-ジ-（2-ナフチル）アントラセンは、エレクトロルミネッセンスを助けることのできる有用な母体材料の一分類を構成し、かつたとえば青、緑、黄色、橙、又は赤のような400nmよりも長波長の発光に特に適している。
【００４６】
ベンザゾール誘導体は、エレクトロルミネッセンスを助けることのできる有用な母体材料の別な分類を構成し、かつたとえば青、緑、黄色、橙、又は赤のような400nmよりも長波長の発光に特に適している。有用なベンザゾールの例は、2,2’,2’’-（1,3,5-フェニレン）トリ[1-フェニル-1H-ベンジミダゾール]である。
【００４７】
赤色発光化合物は、次の構造Fのジインデノペリレン化合物を有して良い。
【００４８】
【化６】
2009532825.tif 000008
ここで、X1-X16はそれぞれ独立して、水素、又は、1〜24個の炭素原子からなるアルキル基、5〜20個の炭素原子からなるアリール若しくは置換アリール、1つ以上の縮合芳香族環若しくは環系を完成させる4〜24個の炭素原子を含む炭化水素基、若しくはハロゲンを有する置換物として選ばれる。ただし560nmから640nmで最大となる発光を供するように置換物が選ばれるとする。
【００４９】
この分類の有用な赤色ドーパントの例は、特許文献35においてハトワー(Hatwar)他によって示されている。
【００５０】
本発明に有用な他の赤色ドーパントは、構造式Gによって表される色素のDCM分類に属する。
【００５１】
【化７】
2009532825.tif 000009
ここでY1-Y5は、ヒドロ基、置換アルキル基、アリール基、又は置換アリール基からそれぞれ独立して選ばれる1つ以上の基を表す。Y1-Y5はそれぞれ独立して非環式基を有するか、又は対を形成するように結合して1つ以上の縮合環を形成しても良い。ただしY3とY5は1つになって縮合環を形成しないものとする。
【００５２】
赤色発光を供する有用で便利な実施例では、Y1-Y5はそれぞれ独立して、ヒドロ基、アルキル基、及びアリール基から選ばれる。DCM分類の特に有用なドーパントの構造は、特許文献36においてリック(Rick)他によって示されている。
【００５３】
発光黄色ドーパントは以下の構造を有して良い。
【００５４】
【化８】
2009532825.tif 000010
ここで、A1-A6及びA’1-A’6は各環での1つ以上の置換物を表す。各置換物はそれぞれ独立に以下のカテゴリーのうちの1つから選ばれる。
【００５５】
カテゴリー1：水素又は1〜24個の炭素原子からなるアルキル基。
【００５６】
カテゴリー2：5〜20個の炭素原子からなるアリール基又は置換アリール基。
【００５７】
カテゴリー3：縮合芳香族環又は環系を完成させる、4〜24個の炭素原子を含む炭化水素。
【００５８】
カテゴリー4：たとえばチアゾリル、フリル、チエニル、ピリジル、キノリニル、若しくは他の複素環系のような、単一結合を介して結合するか若しくは縮合複素芳香環系を完成させる、5〜24個の炭素原子を含むヘテロアリール又は置換テロアリール。
【００５９】
カテゴリー5：1〜24個の炭素原子からなるアルコキシルアミノ、アルキルアミノ、又はアリールアミノ。
【００６０】
カテゴリー6：フッ化物、塩化物、臭化物、又はシアノ基。
【００６１】
特に有用な黄色ドーパントの例はリック(Rick)他によって示されている。
【００６２】
緑色発光化合物は、次の構造を有するキナクリドンを有して良い。
【００６３】
【化９】
2009532825.tif 000011
置換基R1及びR2はそれぞれ独立したアルキル、アルコキシル又はヘテロアリールである。置換基R3〜R12はそれぞれ独立した水素、アルキル、アルコキシル、ハロゲン、アリール、又はヘテロアリールである。隣接する置換基R3〜R10は任意で接続することで、1つ以上の環系を形成して良い。この環系には縮合芳香環及び縮合複素芳香環が含まれる。ただし置換基は、510nmから540nmの間で最大となり、かつ半値全幅が40nm以下の発光を供するように選ばれる。アルキル、アルコキシル、アリール、ヘテロアリール、縮合芳香環及び縮合複素芳香環置換基はさらに置換されて良い。便宜には、R1及びR2はアリールであり、R2〜R12は、水素、又はメチルよりも多くの電子を引き出す置換基である。有用なキナクリドンの例には、特許文献27及び37で開示されたものが含まれる。
【００６４】
緑色発光化合物は、次の構造を有するクマリン化合物を有して良い。
【００６５】
【化１０】
2009532825.tif 000012
XはO又はSである。R1、R2、R3及びR6はそれぞれ独立した水素、アルキル又はアリールであって良い。R4及びR5はそれぞれ独立したアルキル又はアリールであって良い。ここでR3とR4若しくはR5とR6又はこれら4つがまとまってシクロアルキル基を完成させる原子を表す。ただし置換物は510nmから540nmの間で最大となり、かつ半値全幅が40nm以下の発光を供するように選ばれるものとする。
【００６６】
有用な緑色ドーパントの例は、特許文献36においてハットワー(Hatwar)他によって開示されている。
【００６７】
青色発光ドーパントはペリレン若しくはその誘導体、又は構造Lのビス（アジニル）アゼンボロン複合体化合物を有して良い。
【００６８】
【化１１】
2009532825.tif 000013
A及びA’は、少なくとも1つの窒素を含む6員環芳香環系に相当する独立したアジン環系を表す。
【００６９】
(Xa)n及び(Xb)mは、独立して選ばれた1つ以上の置換基を表し、かつ非環式置換物を含む。また(Xa)n及び(Xb)mは、結合してA又はA’に縮合する環を形成する。
【００７０】
m及びnはそれぞれ独立して0〜4である。
【００７１】
Za及びZbはそれぞれ独立した置換物である。
【００７２】
1,2,3,4,1’,2’,3’,及び4’は、炭素又は窒素としてそれぞれ独立に選ばれる。
【００７３】
ただしXa,Xb,Za,Za,Zb,1,2,3,4,1’,2’,3’,及び4’は、青色発光を供するように選ばれる。
【００７４】
ドーパントの上記分類の例はリック他によって開示されている。
【００７５】
ペリレンの分類に係る特に有用な青色ドーパントはペリレン及びβ-t-ブチルペリレン(TBP)を有する。
【００７６】
本発明における青色ドーパントの別な特別有用な分類は、ジスチリルベンゼンやジスチリルビフェニルのようなジスチリルアレーンの青色発光誘導体を含む。このようなジスチリルアレーンの青色発光誘導体には特許文献38に記載された化合物も含まれる。青色発光を供するジスチレン誘導体では、ジアリールアミノ基によって置換されたものが特に有用である。それはジスチリルアミンとしても知られている。例には、以下の一般構造M1のビス[2-[4-[N,N-ジアリールアミノ]フェニル]ビニル]ベンゼン、及び以下の一般構造M2のビス[2-[4-[N,N-ジアリールアミノ]フェニル]ビニル]ビスフェニルが含まれる。
【００７７】
【化１２】
2009532825.tif 000014
【００７８】
【化１３】
2009532825.tif 000015
式M1及びM2では、X1-X4は同一であっても良いしそれぞれ異なっていても良く、そしてそれぞれ独立に1つ以上の置換物を表して良い。置換物とはたとえば、アルキル基、アリール基、縮合アリール基、ハロ基、又はシアノ基である。好適実施例では、X1-X4はそれぞれ独立したアルキル基であり、各々は1〜約10個の炭素原子を有する。この分類の特に好適な青色ドーパントはリックス(Ricks)他によって開示されている。
【００７９】
常に必要というわけではないが、アノードの上に設けられた電子輸送層55を有することは大抵の場合有用である。望ましい電子輸送材料は、如何なる適切な手段によって堆積されても良い。適切な手段とはたとえば、蒸着、スパッタリング、化学気相成長、電気化学的手段、熱転写、又は供給体材料からのレーザー熱転写である。電子輸送層に有用な電子輸送材料は、金属キレートオキシノイド化合物である。金属キレートオキシノイド化合物はオキシン自体のキレート（一般的には8-キノリール又は8-ヒドロキシキノリンとも呼ばれる）を含む。係る化合物は電子の注入及び輸送を助け、注入及び輸送とも高レベルの性能を示し、かつ薄膜の形態ですぐに作製される。考えられるオキシノイド化合物の典型例は、これまでに述べた構造式Fを満たすものである。
【００８０】
他の電子輸送材料は、特許文献39で開示された様々なブタジエン誘導体、及び特許文献40で開示された様々な複素環式光沢剤を有する。ある特定のベンザゾールもまた有用な電子輸送材料である。他の電子輸送材料は高分子物質であって良い。そのような高分子物質とはたとえば、ポリフェニレンビニレン誘導体、ポリ-パラフェニレン誘導体、ポリフルオレン誘導体、ポリチオフェン、ポリアセチレン、及び当技術分野において既知である他の導電性高分子有機材料である。
【００８１】
最も一般的にはカソード90として備えられる上部電極は、電子輸送層の上に形成され、又は電子輸送層が用いられない場合には発光層の上に形成される。素子が上部発光である場合、電極は透明（に近いもの）でなければならない。係る用途では、金属は薄くなければならず（好適には25nm未満）、透明導電性酸化物（たとえばインジウム-スズ酸化物、インジウム-亜鉛酸化物）又はこれらの材料の混合物が用いられなければならない。光学的に透明なカソードは、特許文献41においてより詳細に説明されている。カソード材料は、蒸着、スパッタリング、又は化学気相成長によって堆積されて良い。必要な場合には、多くの周知方法によるパターニングが行われて良い。そのような周知方法とはたとえば、貫通マスク堆積法、特許文献42と43に記載された集積シャドーマスク法、レーザーアブレーション、及び選択的化学気相成長である。
【００８２】
OLED素子10も他の層を有して良い。たとえば特許文献13及び44〜46に記載されているように、正孔注入層35がアノードの上に形成されて良い。たとえばアルカリ若しくはアルカリ土類金属、アルカリハライド塩、又はアルカリ若しくはアルカリ土類金属がドーピングされた有機層のような電子注入層60は、カソードと電子輸送層の間に存在しても良い。
【００８３】
ここで図4に移ると、本発明の他の実施例によるタンデム型白色光発光OLED素子80の断面が図示されている。タンデム型OLED素子は、特許文献5においてジョーンズ(Jones)他により、特許文献6において田中他により、特許文献7において城戸他により、及び特許文献8,9においてリアオ(Liao)他により、開示されてきた。OLED素子80は、基板20、間隔をあけて設けられたアノードとカソード90、及び電極間に設けられた少なくとも2つの白色光発光ユニット75と85を有する。白色光発光ユニット75と85は白色光に対応する発光スペクトルを生成する。各白色光発光ユニットは4層の発光層を有する。その4層の発光層とは、白色光発光ユニット75については、発光層50.1、発光層50.2、発光層50.3、及び発光層50.4で、白色光発光ユニット85については、発光層51.1、発光層51.2、発光層51.3、及び発光層51.4である。各発光ユニットは、赤色発光層、黄色発光層、青色発光層、及び緑色発光層を有する。所与の白色光発光ユニットの各々は、アノード30とカソード90の間に電流が流れるときに、各異なる発光スペクトルを生成する。これらの発光スペクトルは結合して白色光を生成する。発光ユニット75と85は、OLED素子10について上述した基準に従った、図2aから図2hに記載された発光ユニットの構造のうちの如何なるものを有しても良い。白色光発光ユニット75と85では、構成する発光層の順序は同一であっても良いし、又はそれぞれ異なっていても良い。たとえばタンデム型OLED素子80の一の実施例は、白色光発光ユニット75と85が共にたとえば図2bのような層順序を有するような構造を有して良い。タンデム型OLED素子80の他の実施例は、白色光発光ユニット75がたとえば図2aのような層順序を有する一方で白色光発光ユニット75はたとえば図2cのような異なる層順序を有するような構造を有して良い。さらに使用される発光層は同一であっても良いし又は異なっていても良い（たとえば白色光発光ユニット75と85は同一又は異なる組成の赤色発光層を有して良い）。
【００８４】
タンデム型OLED素子80は、白色光発光ユニット75と85の間に設けられた中間接続部95をさらに有する。中間接続部95は、隣接するELユニットへの実効的なキャリア注入を供する。キャリア注入には、金属、金属化合物、又は他の無機化合物が有効である。しかし係る材料は大抵の場合抵抗が低い。その結果画素のクロストークが生じる。また中間接続部を構成する層の光学透明度は、ELユニット中に生成された放射線が素子を飛び出すことができる程度の高さでなければならない。従って大抵の場合、中間接続部内には主として無機材料を用いることが好まれる。中間接続部95及びそれを構築するのに用いられる材料の詳細については特許文献47においてハットワーによって記載されている。中間接続部について非限定的な例は、特許文献8、48、及び49に記載されている。
【００８５】
ここで図6に移ると、図4に図示されたタンデム型OLED素子の発光スペクトル150が図示されている。比較のため、スペクトル140は、本明細書で述べた4層の発光層を有する単一積層OLED素子を示す。いずれも可視スペクトルのかなりの範囲にわたって良好な発光を示すもののタンデム型OLED素子の方が高い砲車輝度を示している。
【００８６】
本発明及びその利点は、以降の比較例によってよく分かるだろう。真空中で堆積されたと記載された層は、約10-6Torrの真空下において加熱ボートからの蒸着により堆積された。OLED層の堆積後、各素子は封止用の乾燥ボックスへ移送された。OLEDは10mm2の発光面積を有する。素子は、電極にわたって20mA/cm2の電流を印加することによって検査された。素子の特性は表1に与えられている。各素子の色域は、CIEx,y空間で測定された目標であるNTSCの赤、緑、及び青色座標に対して計算された。
【００８７】
例1（比較用の2層）
比較用のカラーOLEDディスプレイが以下のような方法で構築された。
【００８８】
1.スパッタリングによって、清浄ガラス基板上にインジウムスズ酸化物(ITO)を堆積して、厚さ85nmの透明電極を形成した。
【００８９】
2.上で準備されたITO表面がプラズマ酸素エッチングによって処理された。
【００９０】
3.上で準備された基板はさらに、正孔注入層(HIL)として10nmのヘキサシアノヘキサアザトリフェニレン(CHATP)層を真空堆積する処理が行われた。
【００９１】
【化１４】
2009532825.tif 000016
4.上で準備された基板はさらに、正孔輸送層(HTL)として10nmの4,4’-ビス[N-（1-ナフチル）-N-フェニルアミノ]ビフェニル(NPB)層を真空堆積する処理が行われた。
【００９２】
5.上で準備された基板はさらに20nmの黄色発光層を真空堆積する処理が行われた。この20nmの黄色発光層は、14nmのNPB（母体）及び安定剤として2%の黄-橙色発光ドーパントであるジフェニルテトラ-t-ブチルルブレン(PTBR)が添加された6nmの9,10-ビス（2-ナフチル）アントラセン(ADN)を有する。
【００９３】
【化１５】
2009532825.tif 000017
6.上で準備された基板はさらに20nmの青色発光層を真空堆積する処理が行われた。この20nmの青色発光層は、18.4nmの9-（2-ナフチル）-10-（4-ビフェニル）アントラセン(BNA)母体及び青色発光ドーパントとして1%のBEPが添加された1.4nmのNPB共同母体を有する。
【００９４】
【化１６】
2009532825.tif 000018
7.40nmの混合電子輸送層が真空堆積された。この40nmの混合電子輸送層は、20nmの4,7-ジフェニル-1,10-フェナントロリン（バソフェン又はBphenとしても知られている）と、2%のLi金属が添加された共同母体である20nmのトリ（8-キノリノラト）アルミニウム(III)(ALQ)を有する。
【００９５】
8.100nmのアルミニウム層が蒸着によって基板上に堆積され、カソード層を形成する。
【００９６】
例2（比較用の3層）
比較用のカラーOLEDディスプレイが以下のような方法で構築された。
【００９７】
1.スパッタリングによって、清浄ガラス基板上にITOを堆積して、厚さ60nmの透明電極を形成した。
【００９８】
2.上で準備されたITO表面がプラズマ酸素エッチングによって処理された。
【００９９】
3.上で準備された基板はさらに、正孔注入層(HIL)として10nmのCHATP層を真空堆積する処理が行われた。
【０１００】
4.上で準備された基板はさらに、正孔輸送層(HTL)として10nmのNPB層を真空堆積する処理が行われた。
【０１０１】
5.上で準備された基板はさらに20nmの赤色発光層を真空堆積する処理が行われた。この20nmの赤色発光層は、14nmのNPB及び安定剤として0.5%の赤色発光ドーパントであるジベンゾ{[f,f’]-4,4’,7,7’-テトラフェニル}ジインデノ-[1,2,3-cd:1’,2’,3’-lm]ペリレン}(TPDBP)が添加された6nmのBNAを有する。
【０１０２】
6.上で準備された基板はさらに15nmの青色発光層を真空堆積する処理が行われた。この15nmの青色発光層は、14nmのBNA母体及び青色発光ドーパントとして1%のBEPが添加された1nmのNPB共同母体を有する。
【０１０３】
7.上で準備された基板はさらに15nmの緑色発光層を真空堆積する処理が行われた。この15nmの緑色発光層は、14nmのBNA、1nmのNPB、及び緑色発光ドーパントとして0.5%のジフェニルキナクリドン(DPQ)を有する。
【０１０４】
8.40nmの混合電子輸送層が真空堆積された。この40nmの混合電子輸送層は、20nmのBphenと、2%のLi金属が添加された共同母体である20nmのトリ（8-キノリノラト）アルミニウム(III)(ALQ)を有する。
【０１０５】
9.100nmのアルミニウム層が蒸着によって基板上に堆積され、カソード層を形成する。
【実施例１】
【０１０６】
例3（本願発明）
本発明のカラーOLEDディスプレイが以下のような方法で構築された。
【０１０７】
1.スパッタリングによって、清浄ガラス基板上にITOを堆積して、厚さ60nmの透明電極を形成した。
【０１０８】
2.上で準備されたITO表面がプラズマ酸素エッチングによって処理された。
【０１０９】
3.上で準備された基板はさらに、正孔注入層(HIL)として10nmのCHATP層を真空堆積する処理が行われた。
【０１１０】
4.上で準備された基板はさらに、正孔輸送層(HTL)として10nmのNPB層を真空堆積する処理が行われた。
【０１１１】
5.上で準備された基板はさらに18nmの赤色発光層を真空堆積する処理が行われた。この18nmの赤色発光層は、12.6nmのNPB及び安定剤として0.5%の赤色発光ドーパントであるTPDBPが添加された5.4nmのBNAを有する。
【０１１２】
6.上で準備された基板はさらに2nmの黄色発光層を真空堆積する処理が行われた。この2nmの黄色発光層は、1.4nmのNPB（母体）及び安定剤として3%の黄-橙色発光ドーパントであるPTBRが添加された0.6nmのADNを有する。
【０１１３】
7.上で準備された基板はさらに15nmの青色発光層を真空堆積する処理が行われた。この15nmの青色発光層は、14nmのBNA母体及び青色発光ドーパントとして1%のBEPが添加された1nmのNPB共同母体を有する。
【０１１４】
8.上で準備された基板はさらに15nmの緑色発光層を真空堆積する処理が行われた。この15nmの緑色発光層は、14nmのBNA、1nmのNPB、及び緑色発光ドーパントとして0.5%のDPQを有する。
【０１１５】
9.40nmの混合電子輸送層が真空堆積された。この40nmの混合電子輸送層は、20nmのBphenと、2%のLi金属が添加された共同母体である20nmのALQを有する。
【０１１６】
10.100nmのアルミニウム層が蒸着によって基板上に堆積され、カソード層を形成する。
【実施例２】
【０１１７】
例4（本願発明）
本発明のカラーOLEDディスプレイが以下のような方法で構築された。
【０１１８】
1.スパッタリングによって、清浄ガラス基板上にITOを堆積して、厚さ60nmの透明電極を形成した。
【０１１９】
2.上で準備されたITO表面がプラズマ酸素エッチングによって処理された。
【０１２０】
3.上で準備された基板はさらに、正孔注入層(HIL)として10nmのCHATP層を真空堆積する処理が行われた。
【０１２１】
4.上で準備された基板はさらに、正孔輸送層(HTL)として10nmのNPB層を真空堆積する処理が行われた。
【０１２２】
5.上で準備された基板はさらに16nmの赤色発光層を真空堆積する処理が行われた。この16nmの赤色発光層は、11.2nmのNPB及び安定剤として0.5%の赤色発光ドーパントであるTPDBPが添加された4.8nmのBNAを有する。
【０１２３】
6.上で準備された基板はさらに4nmの黄色発光層を真空堆積する処理が行われた。この4nmの黄色発光層は、2.8nmのNPB（母体）及び安定剤として3%の黄-橙色発光ドーパントであるPTBRが添加された1.2nmのADNを有する。
【０１２４】
7.上で準備された基板はさらに15nmの青色発光層を真空堆積する処理が行われた。この15nmの青色発光層は、14nmのBNA母体及び青色発光ドーパントとして1%のBEPが添加された1nmのNPB共同母体を有する。
【０１２５】
8.上で準備された基板はさらに15nmの緑色発光層を真空堆積する処理が行われた。この15nmの緑色発光層は、14nmのBNA、1nmのNPB、及び緑色発光ドーパントとして0.5%のDPQを有する。
【０１２６】
9.40nmの混合電子輸送層が真空堆積された。この40nmの混合電子輸送層は、20nmのBphenと、2%のLi金属が添加された共同母体である20nmのALQを有する。
【０１２７】
10.100nmのアルミニウム層が蒸着によって基板上に堆積され、カソード層を形成する。
【実施例３】
【０１２８】
例5（本願発明）
本発明のカラーOLEDディスプレイが以下のような方法で構築された。
【０１２９】
1.スパッタリングによって、清浄ガラス基板上にITOを堆積して、厚さ60nmの透明電極を形成した。
【０１３０】
2.上で準備されたITO表面がプラズマ酸素エッチングによって処理された。
【０１３１】
3.上で準備された基板はさらに、正孔注入層(HIL)として10nmのCHATP層を真空堆積する処理が行われた。
【０１３２】
4.上で準備された基板はさらに21nmの赤色発光層を真空堆積する処理が行われた。この21nmの赤色発光層は、14nmのNPB及び安定剤として0.5%の赤色発光ドーパントであるTPDBPが添加された6nmのBNAを有する。
【０１３３】
5.上で準備された基板はさらに3nmの黄色発光層を真空堆積する処理が行われた。この3nmの黄色発光層は、2nmのNPB（母体）及び安定剤として2%の黄-橙色発光ドーパントであるPTBRが添加された1nmのADNを有する。
【０１３４】
6.上で準備された基板はさらに15nmの青色発光層を真空堆積する処理が行われた。この15nmの青色発光層は、14.5nmのBNA母体及び青色発光ドーパントとして1%のBEPが添加された0.5nmのNPB共同母体を有する。
【０１３５】
7.上で準備された基板はさらに15nmの緑色発光層を真空堆積する処理が行われた。この15nmの緑色発光層は、14.5nmのBNA、0.5nmのNPB、及び緑色発光ドーパントとして0.5%のDPQを有する。
【０１３６】
8.40nmの混合電子輸送層が真空堆積された。この40nmの混合電子輸送層は、20nmのBphenと、2%のLi金属が添加された共同母体である20nmのALQを有する。
【０１３７】
9.100nmのアルミニウム層が蒸着によって基板上に堆積され、カソード層を形成する。
【実施例４】
【０１３８】
例6（本願発明）
本発明のカラーOLEDディスプレイが以下のような方法で構築された。
【０１３９】
1.スパッタリングによって、清浄ガラス基板上にITOを堆積して、厚さ60nmの透明電極を形成した。
【０１４０】
2.上で準備されたITO表面がプラズマ酸素エッチングによって処理された。
【０１４１】
3.上で準備された基板はさらに、正孔注入層(HIL)として10nmのCHATP層を真空堆積する処理が行われた。
【０１４２】
4.上で準備された基板はさらに21nmの赤色発光層を真空堆積する処理が行われた。この21nmの赤色発光層は、14nmのNPB及び安定剤として0.5%の赤色発光ドーパントであるTPDBPが添加された6nmのBNAを有する。
【０１４３】
5.上で準備された基板はさらに3nmの黄色発光層を真空堆積する処理が行われた。この3nmの黄色発光層は、2nmのNPB（母体）及び安定剤として2%の黄-橙色発光ドーパントであるPTBRが添加された1nmのADNを有する。
【０１４４】
6.上で準備された基板はさらに15nmの青色発光層を真空堆積する処理が行われた。この15nmの青色発光層は、14.5nmのBNA母体及び青色発光ドーパントとして1%のBEPが添加された0.5nmのNPB共同母体を有する。
【０１４５】
7.上で準備された基板はさらに15nmの緑色発光層を真空堆積する処理が行われた。この15nmの緑色発光層は、14.5nmのBNA、0.5nmのNPB、及び緑色発光ドーパントとして0.5%のDPQを有する。
【０１４６】
8.40nmの混合電子輸送層が真空堆積された。この40nmの混合電子輸送層は、20nmのBphenと、2%のLi金属が添加された共同母体である20nmのALQを有する。
【０１４７】
9.上で準備された基板はさらに、p型ドーピングされた有機層(HIL)として10nmのCHATP層を真空堆積する処理が行われた。
【０１４８】
10.上で準備された基板はさらに、正孔輸送層(HTL)として30nmのNPB層を真空堆積する処理が行われた。
【０１４９】
11.上で準備された基板はさらに21nmの赤色発光層を真空堆積する処理が行われた。この21nmの赤色発光層は、14nmのNPB及び安定剤として0.5%の赤色発光ドーパントであるTPDBPが添加された6nmのBNAを有する。
【０１５０】
12.上で準備された基板はさらに3nmの黄色発光層を真空堆積する処理が行われた。この3nmの黄色発光層は、2nmのNPB（母体）及び安定剤として2%の黄-橙色発光ドーパントであるPTBRが添加された1nmのADNを有する。
【０１５１】
13.上で準備された基板はさらに15nmの青色発光層を真空堆積する処理が行われた。この15nmの青色発光層は、14.5nmのBNA母体及び青色発光ドーパントとして1%のBEPが添加された0.5nmのNPB共同母体を有する。
【０１５２】
14.上で準備された基板はさらに15nmの緑色発光層を真空堆積する処理が行われた。この15nmの緑色発光層は、14.5nmのBNA、0.5nmのNPB、及び緑色発光ドーパントとして0.5%のDPQを有する。
【０１５３】
15.40nmの混合電子輸送層が真空堆積された。この40nmの混合電子輸送層は、20nmのBphenと、2%のLi金属が添加された共同母体である20nmのALQを有する。
【０１５４】
16.100nmのアルミニウム層が蒸着によって基板上に堆積され、カソード層を形成する。
【０１５５】
これらの例の試験結果が以下の表1に示されている。比較用である例1及び例2は、効率と有効な色域の両方を実現することが難しいことを示している。例1の効率は良好だが、色域は低い。例2の色域は有効だが、発光効率と出力効率は、例1に対して劣っている。それに加えて例2はD65の白から離れた広帯域の例である。
【０１５６】
本発明では、向上した効率、白点、及び色域が、例3〜5に示した4層の発光層構造によって実現される。例6に示されたようなタンデム型素子にこの構造を用いることにより、さらなる効率の向上が可能である。
【０１５７】
【表１】
2009532825.tif 000019
【図面の簡単な説明】
【０１５８】
【図１】本発明によるOLED素子の断面を図示している。
【図２】a-hは、本発明によるOLED素子内の発光層の配置に係る様々な実施例の断面を図示している。
【図３】本発明によるOLEDディスプレイの断面を図示している。
【図４】本発明による他のOLEDディスプレイの断面を図示している。
【図５】本発明による白色光を発光する4層からなるOLED素子に係る発光スペクトルと、白色光を発光する2層及び3層からなるOLED素子に係る発光スペクトルとの比較を図示している。
【図６】本発明による白色光を発光する4層からなるOLED素子に係る発光スペクトルと、白色光を発光する4層からなる単一積層体を有するOLED素子に係る発光スペクトルとの比較を図示している。
【符号の説明】
【０１５９】
5r  画素
5g  画素
5b  画素
5w  画素
10  OLED素子
15  OLEDディスプレイ
20  基板
25  色フィルタ
25r  赤色フィルタ
25g  緑色フィルタ
25b  青色フィルタ
30  アノード
30r  アノード
30g  アノード
30b  アノード
30w  アノード
35  正孔注入層
40  正孔輸送層
45  正孔輸送層
50.1  発光層
50.2  発光層
50.3  発光層
50.4  発光層
50r  赤色発光層
50y  黄色発光層
50g  緑色発光層
50b  青色発光層
51.1  発光層
51.2  発光層
51.3  発光層
51.4  発光層
55  電子輸送層
60  電子注入層
65  電子輸送層
70  有機EL素子
75  白色光発光ユニット
80  OLED素子
85  白色光発光ユニット
90  カソード
95  中間相互接続部
97  白色光
97r  赤色光
97g  緑色光
97b  青色光
97w  白色光
110  スペクトル
120  スペクトル
130  スペクトル
140  スペクトル
150  スペクトル
【図１】
2009532825.tif 000020
【図２ａ】
2009532825.tif 000021
【図２ｂ】
2009532825.tif 000022
【図２ｃ】
2009532825.tif 000023
【図２ｄ】
2009532825.tif 000024
【図２ｅ】
2009532825.tif 000025
【図２ｆ】
2009532825.tif 000026
【図２ｇ】
2009532825.tif 000027
【図２ｈ】
2009532825.tif 000028
【図３】
2009532825.tif 000029
【図４】
2009532825.tif 000030
【図５】
2009532825.tif 000031
【図６】
2009532825.tif 000032
【国際調査報告】
2009532825.tif 000033
2009532825.tif 000034